(57)【要約】【課題】従来の蛍光灯と同様に面全体で発光しているような自然の発光状態を表示することができるとともに、発光面の大きさを自由に設定できる新しい発想のＬＥＤ照明体を提供すること。【解決手段】多数の光源体１で構成されるＬＥＤ照明体Ａであって、上記光源体１の発光面の形状は上記ＬＥＤ照明体Ａの発光面を細分化した発光面と同一形状にし、該発光面に直交する面にはＬＥＤ２を配設し、上記光源体１には上記ＬＥＤの発光を上記発光面から放射させる反射膜３を設けた。【選択図】図１
2010118316.tif 000002
【特許請求の範囲】
【請求項１】
多数の光源体で構成されるＬＥＤ照明体であって、以下の要件を備えることを特徴とするＬＥＤ照明体。
（イ）上記光源体の発光面の形状は上記ＬＥＤ照明体の発光面を細分化した発光面と同一形状であること
（ロ）上記光源体の発光面に直交する面にはＬＥＤを配設すること
（ハ）上記光源体には上記ＬＥＤの発光を上記発光面から放射させる反射膜を形成したこと
【請求項２】
前記反射膜は任意の色で構成し、光源体の表面から放射される放射光が反射膜の色又はＬＥＤの色を補正する補正色で放射されるようにした、請求項１記載のＬＥＤ照明体。
【発明の詳細な説明】
【技術分野】
【０００１】
本発明は、ＬＥＤ照明体、詳しくはＬＥＤを配設した光源体を並べて配置することにより構成されるＬＥＤ照明体に関するものである。
【背景技術】
【０００２】
従来、既存の蛍光灯に代えてＬＥＤを光源として構成された照明器具が提案されている（例えば、特許文献１）。この照明器具は、細長い板状の基板の一方の面に多数のＬＥＤを配置したもので、既存の蛍光灯照明器具に対応できるようにしたものである。
【特許文献１】実用新案登録第３１４２６５２号公報
【発明の開示】
【発明が解決しようとする課題】
【０００３】
本発明が解決しようとする問題点は、上述の照明器具は、ＬＥＤの外側を透明又は半透明なカバーで覆ってあるもので、ＬＥＤ個々の発光状態が照明器具の外方から視認されるため光る点の集合体のようになり、機械的な照明器具の印象が拭えず癒される照明器具とはかけ離れたものになる恐れがあり、カバーの透明度を落とせばＬＥＤ個々の発光は視認できにくくすることはできるが明るさも低下する問題があった。
【０００４】
本発明は、上記問題点を解決し、従来の蛍光灯と同様に面全体で発光しているような自然の発光状態を表示することができるとともに、発光面の大きさを自由に設定できる新しい発想のＬＥＤ照明体を提供することを課題とする。
【課題を解決するための手段】
【０００５】
前記課題を解決するために本発明に係るＬＥＤ照明体は、多数の光源体で構成されるＬＥＤ照明体であって、以下の要件を備えることを特徴とする。
（イ）上記光源体の発光面の形状は上記ＬＥＤ照明体の発光面を細分化した発光面と同一形状であること
（ロ）上記光源体の発光面に直交する面にはＬＥＤを配設すること
（ハ）上記光源体には上記ＬＥＤの発光を上記発光面から放射させる反射膜を形成したこと
【０００６】
なお、前記反射膜は任意の色で構成し、光源体の表面から放射される放射光が反射膜の色又はＬＥＤの色を補正する補正色で放射されるようにすることが好ましい。
【発明の効果】
【０００７】
請求項１の発明によれば、発光面に直交する面に配設したＬＥＤの光を光源体の内部で反射させ発光面から発光させるのでＬＥＤの光を小さいながらも面の光に変換し、小さな面の光を連結させることにより大きな発光面を構成することができる。しかもＬＥＤのスポット状の光は面の光に変換されているので、斑のない均一の光を発光するＬＥＤ照明体を実現することができる。
【０００８】
請求項２の発明によれば、反射膜を構成する塗料の色を任意に選択すれば、自由にＬＥＤ照明体の発光する色を設定することができる。また、カラーＬＥＤとの組合せで反射膜を補正色用として選択することによりＬＥＤの色を補正して発光するＬＥＤ照明体を実現することができる。
【発明を実施するための最良の形態】
【０００９】
図１は本発明に係るＬＥＤ照明体Ａを適用した照明装置Ｂの一例を示し、この照明装置Ｂは多数の光源体１を直線状に並接して構成したＬＥＤ照明体Ａを内装し、光源体１を発光させることによりＬＥＤ照明体Ａが長板状に発光するようにしたもので、照明装置Ｂの上面が透明な筒状の筐体Ｃの内部に収容し、従来の蛍光灯と同様に使用できるようにしたものである。
【００１０】
上記光源体１は透明な導光性を有する素材（例えば、アクリル樹脂）を、図２（ａ）に示すように、表面１ａを平面状、背面側１ｂを曲面状にして略カマボコ状に形成したもので、表面１ａに直交する両端面１ｃにはＬＥＤ２（好ましくは、平面実装型のＬＥＤ）を発光面が光源体１の端面１ｃに密着するように接着剤などの適宜手段で固定し、背面側１ｂは塗料を塗布または印刷して反射膜３を構成し、ＬＥＤ２の光を反射膜３で表面側１ａに反射させるようにしたものである（図２（ｂ）参照）。
【００１１】
なお、この反射膜３を構成する塗料は、光源体１（ＬＥＤ照明体Ａ）をどのような色で発光させるかで決めればよく、白色で発光させたければ白色の塗料を、青色で発光させたければ青色の塗料を塗布すればよく、塗布する塗料の色を選択することにより、発光させたい色を自由に設定することができるようにしてある。さらに、ＬＥＤをカラーＬＥＤにし、反射膜の色を補正色用として選択することによりＬＥＤの色を補正することができる。
【００１２】
この光源体１でＬＥＤ照明体Ａを形成するためには、図３（ａ）（ｂ）に示すように、側面同士を当接した状態で光源体１を図示しない放熱板を兼ねたフレームに固定してＬＥＤの冷却を図るとともに多数の光源体１を連結し、略長板状に形成したＬＥＤ照明体Ａを図１に示すように筐体Ｃの内部に収容すればよい。
【００１３】
上記構成のＬＥＤ照明体Ａによれば、光源体１に取り付けたＬＥＤ２を発光させるとＬＥＤ２の光は光源体１の反射膜３で反射し、光源体１の表面１ａから反射膜３の色で放射されるので、この光源体１を並べて配置することにより、長板状の斑のないＬＥＤ照明体Ａを実現することができる。
【００１４】
図４（ａ）（ｂ）は、ＬＥＤ照明体Ａの他の例を説明する平面図及び斜視図を示し、このＬＥＤ照明体Ａは平面視略円板状に形成されたもので、光源体１０は、図５（ａ）（ｂ）に示すように、略円錐台状に形成したもので、両端面にはＬＥＤ２を固定し、背面側１０ｂは任意の色の塗料を塗布又は印刷して反射膜３を形成したものである。
【００１５】
上記構成のＬＥＤ照明体Ａによれば、光源体１０に取り付けたＬＥＤ２を発光させれば、ＬＥＤ２の光は光源体１０の反射膜３で反射し、光源体１０の表面１０ａが発光するので、全体として円板状のＬＥＤ照明体Ａを構成することができる。
【００１６】
なお、上記光源体１０は、図６（ａ）に示すように、長手方向に２分割し、発光面１０ａ´を平面状にした光源体１０´を形成し、背面１０ｂ´には反射膜３を形成し（図６（ｂ）参照）、図６（ｃ）に示すように、発光面１０ａ´で構成された平坦なＬＥＤ照明体Ａを形成してもよい。
【００１７】
図７（ａ）は、ＬＥＤ照明体Ａの別の例を示し、このＬＥＤ照明体Ａは略円柱状に形成されたもので、光源体２０は、図７（ｂ）（ｃ）に示すように、長手方向の一端側の端面と他端側と端面とが同じ大きさの略扇状の棒状に形成したもので、両端面にはＬＥＤ２を固定し、前面２０ａは発光面を構成し、背面２０ｂと両側面２０ｃとは任意の色の塗料を塗布又は印刷して反射膜３を形成したものである。
【００１８】
上記構成の光源体２０を発光面２０ａが連続するように連結し、略円柱状に形成すれば周面が各光源体２０の発光面２０ａで構成された円柱状のＬＥＤ照明体Ａが形成される。
【００１９】
このＬＥＤ照明体ＡのＬＥＤ２を発光させれば、ＬＥＤ２の発光は光源体２０の発光面２０ａから放射されるので全体として円柱の周面が発光するＬＥＤ照明体Ａを構成することができる。
【００２０】
図８（ａ）は、ＬＥＤ照明体Ａのさらに他の例を示し、このＬＥＤ照明体Ａは平板状に形成されたもので、光源体３０は、図８（ｂ）に示すように、発光面である表面３０ａが正方形又は長方形状に形成され、縦断面が略Ｔ字状の下窄まりに形成されて脚部３０ｂを構成し、脚部３０ｂの両側にはＬＥＤ２を固定したもので、周面及び底面には任意の色の塗料を塗布又は印刷して反射膜３が形成されている。
【００２１】
上記構成の光源体３０を発光面３０ａが連続するように前後左右に連結し、平板状に形成すれば光源体３０の数により任意の大きさの平板なＬＥＤ照明体Ａを形成することができる。
【００２２】
このＬＥＤ照明体ＡのＬＥＤ２を発光させれば、ＬＥＤ２の発光は光源体３０の発光面３０ａから放射されるので全体としてフラットに発光するＬＥＤ照明体Ａを構成することができる。
【００２３】
しかも、光源体を自由に並べることができるので、大きさも形も自由に設定することができる。
【００２４】
さらに、発光する色を反射膜の色で設定することができるので光源体３０をドットとして、図９（ａ）に示すように連結すれば文字や絵も形成することができ、ＬＥＤの点灯時には光源体３０が面で発光するので、図９（ｂ）に示すように、点の集まりではなく線状に発光するＬＥＤ照明体を構築することができる。
【００２５】
上述したように、本発明のＬＥＤ照明体Ａは、基板上にＬＥＤを配置したものではなく、ＬＥＤを取り付けた多数の光源体を並接し、光源体の表面（発光面）を連続させることにより大きな発光面を有するＬＥＤ照明体Ａを構成することができ、点で発光するＬＥＤを発光面を有する光源体に固定することにより面で発光する光源に変換し、面で発光する光源体を並接することにより大きな面の発光面を形成することができ、面で発光する優しい光のＬＥＤ照明体Ａを実現することができる。
【００２６】
なお、本実施例では光源体の連結構造については言及していないが、接着剤、所定のフレームに固定など適宜の連結手段を用いて連結すればよい。
【図面の簡単な説明】
【００２７】
【図１】本発明に係るＬＥＤ照明体を適用した照明装置の一例を説明する斜視図
【図２】上記ＬＥＤ照明体を構成する光源体の平面側及び底面側斜視図
【図３】（ａ）（ｂ）は上記光源体を連結した状態を説明する平面図及び正面図
【図４】（ａ）（ｂ）はＬＥＤ照明体の他の例を説明する平面図及び斜視図
【図５】（ａ）（ｂ）は上記他の例のＬＥＤ照明体を構成する光源体の平面側及び底面側斜視図
【図６】（ａ）〜（ｃ）は上記他の例のＬＥＤ照明体の変形を示す光源体の平面側斜視図、底面側斜視図及びＬＥＤ照明体の平面側斜視図
【図７】（ａ）〜（ｃ）はＬＥＤ照明体の別の例を説明する斜視図、光源体を説明する正面側及び背面側斜視図
【図８】（ａ）〜（ｃ）はＬＥＤ照明体のさらに別の例を説明する斜視図、光源体を説明する平面側及び背面側斜視図
【図９】（ａ）（ｂ）は上記別の例の光源体を使用して照明以外の目的で形成したＬＥＤ照明体の形状と、点灯状態の説明図
【符号の説明】
【００２８】
１    光源体
２    ＬＥＤ
３    反射膜
１０    光源体
２０    光源体
３０    光源体
Ａ    ＬＥＤ照明体
Ｂ    照明器具
【図１】
2010118316.tif 000003
【図２】
2010118316.tif 000004
【図３】
2010118316.tif 000005
【図４】
2010118316.tif 000006
【図５】
2010118316.tif 000007
【図６】
2010118316.tif 000008
【図７】
2010118316.tif 000009
【図８】
2010118316.tif 000010
【図９】
2010118316.tif 000011